(57)【特許請求の範囲】
【請求項１】
リードスクリューと、前記リードスクリューを回転させる駆動モータとを備え、前記リードスクリューの回転により各供給通路の景品球を１個ずつ排出するようにした景品球払出装置において、前記リードスクリューの上方に前記駆動モータを配置すると共に該駆動モータのモータ軸に前記リードスクリューを一体に固着し、また、前記各供給通路は、下部横樋部を有して前記景品球が前記リードスクリュー側へ横方向から導かれるように形成され、前記各下部横樋部の終端にそれぞれ該各下部横樋部と連通しかつ前記リードスクリューの周囲を囲うようにして該リードスクリューの中心軸線と平行に配設される排出通路を形成し、前記各排出通路における前記リードスクリューの周方向に沿った通路幅は前記景品球の直径とほぼ同じ寸法に設定され、前記リードスクリュー外周面の球支持部が前記各排出通路に臨み該球支持部により前記各供給通路の最先端の景品球を支持し、前記リードスクリューの回転に伴い前記各供給通路に連続状態で並び待機する景品球を前記各下部横樋部へ途切れることなく順に下降させるようにしたことを特徴とするパチンコ機の景品球払出装置。
【発明の詳細な説明】
【０００１】
【産業上の利用分野】
本発明はパチンコ機の景品球払出装置に関し、特に小型化したパチンコ機の景品球払出装置に関するものである。
【０００２】
【従来の技術】
従来、パチンコ機の景品球払出装置として、例えば特開平４−５８９７２号公報に開示されるものがある。
この装置は、図７に示すよう垂直な景品球の供給通路１０１の一側に、外周に供給通路１０１の景品球を支持する球支持部１０２が螺旋状に形成されたリードスクリュー１０３を配置し、一方、該リードスクリュー１０３とは位置を違えて駆動モータ１０４を取付板１０５に固定し、該駆動モータ１０４のモータ軸１０６に原動歯車１０７を固着すると共に前記リードスクリュー１０３の支軸１０８には原動歯車１０７と噛合する従動歯車１０９を固着した構成よりなる。
そして、駆動モータ１０４を回転させ、リードスクリュー１０３を回転させることにより、その球支持部１０２で受けられた供給通路１０１の景品球を順次排出するようにしている。
【０００３】
【発明が解決しようとする課題】
一方、近時パチンコ機の裏機構は、役物の大型化，ゲームの高度化に伴い、多くの電子部品，配線基板及び配線などが複雑に入り組んで取り付けられており、取り付けスペースや取り付け作業を考慮して多部品をできる限り小型化するような努力がなされている。
【０００４】
しかるに、前記景品球払出装置は、供給通路１０１の一側にリードスクリュー１０３を配置し、また該リードスクリュー１０３とは位置を違えて駆動モータ１０４を取付板１０５に固着してなり、互いに原動歯車１０７と従動歯車１０９を介在させてリードスクリュー１０３を駆動するようにしているので、駆動モータ１０４が外方へ突出するなどして装置全体が大型化し、前記要請に応えることができなかった。
【０００５】
また、供給通路１０１内の景品球は垂直状に連続状態で並び、その最先端の景品球がリードスクリュー１０３に支持されるので、該リードスクリュー１０３に大きな球圧が掛かり、このため駆動モータ１０４に余計な負荷が加わって故障の原因になるという課題が有った。
そこで本発明は前記課題に鑑みなされたもので、全体に小型化できるようにして広いスペースをとらないようにすると共に、故障も少なく景品球をスムースに排出できる景品球払出装置を提供することを目的とする。
【０００６】
【課題を解決するための手段】
かかる目的を達成するため、本発明のパチンコ機の景品球払出装置はリードスクリューと、該リードスクリューを回転させる駆動モータとを備え、前記リードスクリューの回転により供給通路の景品球を１個ずつ排出するようにした景品球払出装置において、前記リードスクリューの上方に駆動モータを配置すると共に該駆動モータのモータ軸にリードスクリューを一体に固着し、また前記供給通路を景品球がリードスクリュー側へ横方向から導かれるように形成し、前記供給通路の終端に該供給通路と連通しかつ前記リードスクリューの回転に伴い該供給通路に連続状態で並び待機する景品球が途切れることなく順に下降する排出通路を形成してなる。
【０００７】
【作用】
リードスクリューの上方に駆動モータを配置すると共に、該駆動モータのモータ軸に前記リードスクリューを一体に固着することにより装置全体の小型化を図る。また、供給通路は景品球がリードスクリュー側へ横方向から導かれるように形成されているので、連なる景品球によるリードスクリューへの球圧が減少され、これにより駆動モータにも余計な負荷が加わらない。
【０００８】
【実施例】
以下、本発明に係るパチンコ機の景品球払出装置の一実施例を図面と共に説明する。
図１は本発明の景品球払出装置が適用されるパチンコ機の裏面図である。図中、１はパチンコ機本体、２は遊技盤であり、該遊技盤２の裏面全体を覆うように機構板３が配設されている。遊技盤２の裏面と相対する機構板３の前面下部には、入賞球を集合する入賞球集合樋４が形成される。該入賞球集合樋４は入賞球を一列に整列して流下させるようになっており、その流下通路の途中に通過する入賞球を検出する入賞球検出器５が設けられている。この入賞球検出器５からの信号は図示しない払出制御回路に送られて、後述する景品球払出装置６の動作を制御する。
【０００９】
一方、機構板３の後面側には、上部に補給機構（図示せず）から補給される景品球を貯留する景品球タンク７が設けられ、該景品球タンク７の下方に景品球を整列流下させる誘導樋８が設けられ、該誘導樋８の下流側に供給樋９が連設され、この供給樋９の流下端に本発明の景品球払出装置６が接続される。さらに、景品球払出装置６の下方に該装置６から払い出された景品球を機前の球受皿に導く排出樋１０が設けられている。
【００１０】
次に、図２ないし図６を参照して本発明の景品球払出装置６の構成について説明する。景品球払出装置６は、図２に示すように前記機構板３に取付ける取付板１１を有する。該取付板１１には前記供給樋９に連続する三条の供給通路１２，１３，１４が設けられている。各供給通路１２，１３，１４は側面略コ字状に屈曲して形成されており、更に詳しくは、前記供給樋９の下端と接続する上部横樋部１２ａ，１３ａ，１４ａと垂直な縦樋部１２ｂ，１３ｂ，１４ｂと下部横樋部１２ｃ，１３ｃ，１４ｃとからなる。
各下部横樋部１２ｃ，１３ｃ，１４ｃの終端は集合して、その下面に１つの有底の排出室１５が形成される。
【００１１】
該排出室１５は底面の中央に上方へ突出する支持突起１６を設けてなり、該支持突起１６を中心とする回りに側壁を窪ませて前記各下部横樋部１２ｃ，１３ｃ，１４ｃと連通する三つの排出通路１２ｄ，１３ｄ，１４ｄを形成すると共にその下面に前記排出樋１０と連なる排出口１２ｅ，１３ｅ，１４ｅを開設している。
【００１２】
１７は前記側面略コ字状の各供給通路１２，１３，１４の内側に囲まれるようにして配置される駆動モータであり、下部横樋部１２ｃ，１３ｃ，１４ｃの上面を覆う天板にビス１８，１８により固着される。
また、前記駆動モータ１７のモータ軸１９は駆動モータ１７の下面から下方へ突出し、天板に設けられる透孔２０を介して前記排出室１５内に臨み支持突起１６と対向位置する。そして、その先端にリードスクリュー２１が固着され水平回転し得るようにしている。リードスクリュー２１は軸筒部２２の上端面にモータ軸１９を嵌着する取付孔２３を穿設し、また下端面に排出室１５中央の支持突起１６が嵌入するガイド孔２４が穿設されている。また、軸筒部２２の外周面には前記各排出通路１２ｄ，１３ｄ，１４ｄに臨んで各供給通路１２，１３，１４内を流下してくる最先端の景品球を支持する鍔状の球支持部２５を螺旋状に設けて構成されている。
【００１３】
なお、リードスクリュー２１の球支持部２５は、該リードスクリュー２１が１回転することによって各供給通路１２，１３，１４に連続して並ぶ最先端の景品球が支持を失って各排出口１２ｅ，１３ｅ，１４ｅから順に排出樋１０に落下するようにその螺旋形状が選ばれる。また、排出室１５の各排出通路１２ｄ，１３ｄ，１４ｄにはそれぞれ球切れ並びに景品球を検知する検出器２６，２７，２８が設けられている。
【００１４】
本発明の景品球払出装置は上記構成からなり、次に作用を説明する。
入賞球検出器５が入賞球を検出すると、その検出信号に基づいて駆動モータ１７が回転を開始し、モータ軸１９に直結されるリードスクリュー２１が水平回転する。このリードスクリュー２１の回転で各供給通路１２，１３，１４に連続状態で待機する景品球は球支持部２５の移動に伴い途切れることなく順に下降し、リードスクリュー２１が１回転すると、各供給通路１２，１３，１４の最先端の景品球（合計３個）がその球支持部２５による支持から外れて排出樋１０に落下する。
【００１５】
このようにして、排出樋１０に落下する景品球は検出器２６，２７，２８によって計数されながらパチンコ機本体１前面の球受皿（図示せず）に導かれるもので、その払い出された景品球が所定数例えば入賞球１個に対して払い出される景品球数（例えば１３個）になったときにモータを停止して所定数の景品球を正確に払い出す。
【００１６】
【発明の効果】
以上に述べたように、本発明のパチンコ機の景品球払出装置は、モータ軸先端にリードスクリューを直結するようにし、更に供給通路をモータを囲うように屈曲させたので、装置全体が小型化でき、しかも、扱かい易く取り付けも容易に行なえる。これにより裏機構の各部品を小型化するという要請に十分応え得るものである。
また、供給通路は景品球がリードスクリュー側へ横方向から導かれるように形成したので、リードスクリューに掛かる球圧が減少せられ、景品球の排出がスムースに行なえ、引いては駆動モータにも大きな負荷が掛からないことから、故障が少ないという効果も有する。
【図面の簡単な説明】
【図１】パチンコ機の背面図。
【図２】本発明に係る景品球払出装置の斜視図。
【図３】同分解斜視図。
【図４】同裏面から見た斜視図。
【図５】同縦断面図。
【図６】図５におけるＸ−Ｘ線断面図。
【図７】従来の景品球払出装置の斜視図。
【符号の説明】
１２，１３，１４              供給通路
１２ｃ，１３ｃ，１４ｃ        下部横樋部
１２ｄ，１３ｄ，１４ｄ        排出通路
１２ｅ，１３ｅ，１４ｅ        排出口
１７                          駆動モータ
１９                          モータ軸
２１                          リードスクリュー
２５                          球支持部
【図１】
0003841443.tif 000002
【図２】
0003841443.tif 000003
【図３】
0003841443.tif 000004
【図４】
0003841443.tif 000005
【図５】
0003841443.tif 000006
【図６】
0003841443.tif 000007
【図７】
0003841443.tif 000008